(57)【要約】【課題】  音声出力が行われていないときは外部の音を聞き易く、音声出力が行われているときは音声を聞き取り易くするスピーカ制御装置を提供することを目的とする。【解決手段】  スピーカ２を格納したスピーカ・ハウジング２３は、運転者席のシート３０のヘッドレスト３１に内蔵されたアクチュエータ５によって、前後方向にスイング駆動されるスピーカ・アーム２２の一端に固定されている。コントローラ４は、通話開始スイッチ１２と通話終了スイッチ１３を備え、通話時にアクチュエータを駆動してスピーカを耳に接近させ、通話が終了するとアクチュエータを駆動してスピーカを耳から離した状態に移動する。【選択図】    図１
2005150954.tif 000002
【特許請求の範囲】
【請求項１】
使用者の耳を塞ぐ状態の位置と耳を塞がない状態の位置とに、位置が移動可能なスピーカと、
前記スピーカの位置を移動させる駆動手段と、
前記スピーカから音声出力を行うかどうかを検出する音声出力検出手段と、
音声出力検出時に前記スピーカが耳を塞ぐ状態にし、音声出力非検出時に耳を塞がない状態にするよう駆動手段を制御する駆動制御手段とを備えたことを特徴とするスピーカ制御装置。
【請求項２】
さらに、前記スピーカが耳を塞ぐ状態のスピーカの位置を設定する位置設定手段を備えていることを特徴とする請求項１に記載のスピーカ制御装置。
【請求項３】
さらに、予め前記位置を記憶する記憶手段を備え、
前記駆動制御手段は、記憶された前記位置に基づいて、音声出力検出時の前記スピーカが耳を塞ぐ状態の位置に、駆動手段を制御して設定することを特徴とする請求項２に記載のスピーカ制御装置。
【請求項４】
さらに、予め記憶した前記位置を選択可能とする選択手段を備え、
前記駆動制御手段は、選択された前記位置に基づいて、音声出力検出時の前記スピーカの耳を塞ぐ状態の位置に、駆動手段を制御して設定することを特徴とする請求項３に記載のスピーカ制御装置。
【請求項５】
前記位置設定手段による前記スピーカの位置の設定を開始させる位置設定開始手段を備え、該位置設定開始手段が操作された場合に、予め定められた音声を前記スピーカから出力し、前記位置の設定を行うことを可能とする請求項２に記載のスピーカ制御装置。
【請求項６】
前記予め定められた音声は、電話により取得した天気予報あるいは時報であることを特徴とする請求項５に記載のスピーカ制御装置。
【請求項７】
前記駆動手段は、車両のシートのヘッドレストに内蔵されていることを特徴とする請求項１から６のいずれか１に記載のスピーカ制御装置。
【請求項８】
前記スピーカは、車両のシートのヘッドレストより延設されていることを特徴とする請求項１から７のいずれか１に記載のスピーカ制御装置。
【請求項９】
音声出力状態であるかどうかを検出し、スピーカを、音声出力検出時に耳を塞ぐ状態にし、音声出力非検出時に耳を塞がない状態にするように、スピーカの位置を制御すること特徴とするスピーカの位置の制御方法。
【発明の詳細な説明】
【技術分野】
【０００１】
本発明は、両手を自由に使える状態で相手の話を聞き取るために用いられるハンズフリー電話機等に用いられるスピーカ制御装置およびスピーカの位置の制御方法に関する。
【背景技術】
【０００２】
自動車等の車両内において携帯電話機を用いて通話を行う際、両手が自由に使える状態で電話対応ができれば極めて便利である。こうした要望に対応し、両手を自由に使える状態のままで電話応対できるようにしたハンズフリー装置が考えられている。
【０００３】
従来のハンズフリー装置として、頭頂部から左右の頭部側面にバンドを掛け、バンドの一端は耳かけ部と、耳かけ部からボール自在継手で接続したＬ形のアームの先端にスピーカ・ハウジングを備え、バンドの他端にフレキシブルチューブを介してマイクが固定されたヘッドホン式のものが知られている。このハンズフリー装置では、耳かけ部を耳に装着した時、スピーカは耳から所定の距離離れて浮いた状態にできるものである（特許文献１参照）。
【特許文献１】特開２０００−５０３７９号公報
【発明の開示】
【発明が解決しようとする課題】
【０００４】
しかしながら、従来のハンズフリー装置においては、耳かけ部とスピーカ部が所定の距離離れているので、外部からの音は聞き取り易くなるが、通話時に音声が聞き取り難くなってしまう。
本発明は、上記の問題点を解決するために、音声出力が行われていないときは外部の音を聞き易く、音声出力が行われているときは音声を聞き取り易くするスピーカ制御装置を提供することを目的とする。
【課題を解決するための手段】
【０００５】
このため、本発明は、スピーカから音声出力を行うときにスピーカが耳を塞ぐ状態にし、音声出力を行わないときに耳を塞がない状態にするようにした。
【発明の効果】
【０００６】
本発明により、スピーカより音声出力が行われていないときはスピーカが耳から離れた位置になるので外部の音が聞き易く、スピーカより音声出力が行われているときにはスピーカが耳を塞ぐように設定されるので、スピーカからの音声が聞き取り易くなる。
【発明を実施するための最良の形態】
【０００７】
以下本発明の実施の形態を説明する。
図１は本発明をハンズフリー装置に適用した場合の、本実施の形態のブロック構成図である。
本実施例のハンズフリー装置は、携帯電話機１と接続したコントローラ４と、コントローラ４に接続したスピーカ２、マイク３と、スピーカ２の設定位置を通話時と非通話時で変更するようにコントローラ４に制御されるアクチュエータ５、およびスピーカ２の設定位置を検出し、コントローラ４に入力する位置センサ２９とから構成される。
コントローラ４は、ＣＰＵ１１とそれに接続するメモリ（１）１５、メモリ（２）１６、通話開始スイッチ１２、通話終了スイッチ１３、使用者選択スイッチ１４、位置記憶スイッチ１７、位置調整ノブ１８、ディスプレイ１９から構成される。
【０００８】
コントローラ４は、操作者が通話開始スイッチ１２をオンすることで、ＣＰＵ１１が携帯電話機１の通話開始を制御し、スピーカ２とマイク３を携帯電話機１と接続状態、つまりオン状態にする。また、通話終了スイッチ１３をオンすることで、携帯電話機１の通話終了の制御をし、スピーカ２とマイク３を携帯電話機１と非接続状態、つまりオフ状態にする。
また、ＣＰＵ１１は、携帯電話機１が通話状態から非通話状態になったことを検出したとき、通話終了の制御をする。
メモリ（１）１５はＲＯＭで、ＣＰＵ１１のプログラムを格納している。メモリ（２）１６は不揮発メモリで、使用者選択スイッチ１４の設定された位置に対応したメモリアドレス番号にデータを記憶する。
【０００９】
位置記憶スイッチ１７は、使用者ごとに通話時のスピーカ２の設定位置を記憶させるスイッチである。位置調整ノブ１８は、後述のアーム角度設定モードのときノブを回すことにより、ＣＰＵ１１がアクチュエータ５を制御して、スピーカ・アーム２２（図２参照）を回動させる。
ディスプレイ１９は、ＣＰＵ１１に制御され、通話状態、使用者選択スイッチ１４の選択位置、後述のアーム角度設定モードの表示を行う。
位置センサ２９は、スピーカ・アーム２２の位置を、アクチュエータ５が駆動する駆動軸２７（図２参照）の回転角度で検出する。
【００１０】
図２は本ハンズフリー装置の実装状態を示す図である。
（ａ）は運転者席のシート３０を前方側から見た図であり、スピーカ２とマイク３のヘッドレスト３１への実装状態を示す。
アクチュエータ５はヘッドレスト３１に内蔵され、図示省略の小型のモータとその回転数を減速する減速ギアと駆動軸２７からなる。アクチュエータ５の減速ギアが駆動軸２７を回動する。駆動軸２７にはスピーカ・アーム２２の一端が固定され、スピーカ・アーム２２の他端には、スピーカ２を格納したスピーカ・ハウジング２３が取り付けられている。
駆動軸２７はほぼ垂直な軸であり、アクチュエータ５が駆動軸２７を回動させると、スピーカ・アーム２２が車両の前後方向にスイングする。
【００１１】
位置センサ２９は図示省略するが、ヘッドレスト３１に内蔵され駆動軸２７の回転角度を検出する。
スピーカ・アーム２２は、アーム方向にスライドして伸縮可能な構造をしており、これにより運転者席３０に着座時の、乗員の耳のヘッドレスト３１からの前後方向の距離の個人の差異を調整できる。
マイク３は、フレキシブルチューブ２１の先端に取り付けられ、ヘッドレスト３１の側面から前側に延び、操作者の口の位置に適切に設定できるようになっている。
【００１２】
図２の（ｂ）は運転者席横のセンターテーブル３２に配置された携帯電話機１とコントローラ４を示す。携帯電話機１とコントローラ４は、センターテーブル３２に設置して、センターテーブル３２に配線された図示省略のコネクタにより互いに接続され、また図示省略の車両の電源にそれぞれ接続される。
また、コントローラ４は、ヘッドレスト３１に配置したスピーカ２、マイク３、アクチュエータ５、位置センサ２９と図示省略の別のコネクタにより接続される。
【００１３】
本実施の形態の作用を以下に説明する。
図３は、スピーカ・アームの角度を設定し記憶させる制御（アーム角度設定モード）のフローチャートである。
本制御はコントローラ４のＣＰＵ１１のプログラムとして処理される。
使用者が携帯電話装置１の電源をオンにするとコントローラ４はオンとなる。
ステップ１０１では、操作者が位置記憶スイッチ１７をオンしたかどうかをチェックする。オン信号を検出したときはステップ１０２に進み、そうでないときはステップ１０１を繰り返す。
ステップ１０２では、使用者選択スイッチ１４の設定されている位置を読み出す。
【００１４】
ステップ１０３では、現在の使用者選択スイッチ１４の設定されている位置に対応するメモリ（２）１６のメモリアドレス番号を設定する。
ステップ１０４では、操作者が位置調整ノブ１８を回すと、それに応じてアクチュエータ５を制御し、スピーカ・アーム２２を回動させて角度変更する。
ステップ１０５では、操作者が再度位置記憶スイッチ１７をオンしたかどうかをチェックする。オン信号を検出した場合はステップ１０６に進み、そうでない場合はステップ１０２に戻る。
【００１５】
ステップ１０６では、設定されたメモリアドレス番号で、メモリ（２）１６にスピーカ・アーム２２の角度を記憶する。
その後、ステップ１０７では、スピーカ・アーム２２は自動的に後方に回動して、格納位置に戻り、（以下、この動作を「全開」と称する）終了する。
このように、各使用者が自分の使用者選択スイッチの位置を決めて、それに対応するメモリ（２）のメモリアドレス番号に、スピーカ２の自分の好みの耳への密着度合いになるようにスピーカ・アーム２２の角度を記憶させることができる。
【００１６】
図４は、通話するときのスピーカ・アームの位置制御のフローチャートである。
本制御はコントローラ４のＣＰＵ１１のプログラムとして処理される。
ステップ２０１では、スピーカ・アーム２２が全開位置以外のときには、全開位置に戻す。
ステップ２０２では、使用者選択スイッチ１４の設定されている位置を読み出す。
ステップ２０３では、使用者選択スイッチ１４の設定されている位置に対応したメモリ（２）１６のメモリアドレス番号から角度を読み出す。
なお、当該のメモリアドレス番号にデータがないときは、デフォルト値の所定の角度値を設定する。
ステップ２０４では、使用者選択スイッチ１４の設定されている位置が、最初はステップ２０２で読み出した位置、繰り返しの次からは前回のステップ２０４で読み出した位置から変更されたかどうかをチェックする。変更された場合はステップ２０３に戻る。変更がない場合はステップ２０５に進む。
ステップ２０５では、通話開始スイッチ１２がオンされたかどうかをチェックする。オンされた場合はステップ２０６に進み、そうでない場合はステップ２０４に戻る。
ステップ２０６では、アクチュエータ５を制御して、ステップ２０３でメモリ（２）１６から読み出した角度に、スピーカ・アーム２２を設定する。
ステップ２０７では、通話終了スイッチ１３がオンされたか、または携帯電話機１の通話が終了をしたことを検知した場合は、ステップ２０１に戻り、スピーカ・アーム２２を全開位置に戻す。そうでない場合は、ステップ２０７を繰り返す。
【００１７】
本実施の形態のアクチュエータ５は本発明の駆動手段を、メモリ（２）１６は記憶手段を、使用者選択スイッチ１４は選択手段を、位置記憶スイッチ１７は位置設定開始手段を構成する。また、フローチャートのステップ１０１〜１０６は本発明の位置設定手段を、ステップ２０１〜２０４およびからステップ２０６は駆動制御手段を、ステップ２０５とステップ２０７は音声出力検出手段を構成する。
【００１８】
以上のように本実施の形態によれば、通話時は耳との密着度合いを使用者の好みとなる位置にスピーカ２を設定するので、電話の音声が聞き易く、非通話時はスピーカ・アーム２２が全開の位置にあり耳から十分離れるので、外部の自然の音が聞き易く、耳が圧迫される煩わしさもない。
また、通話中はスピーカ２が耳にほぼ密着して塞ぐので、スピーカ２の音声をマイク３が拾うことが少なく、エコーが減少し、エコーキャンセル回路が作用していても、そのために音質が劣化することがない。
また、使用者の体形によりスピーカ２の耳への最適設定位置が異なるが、各人ごとにスピーカ・アーム２２の設定角度を記憶させて、それを選択することによって、通話時のスピーカ２の位置を変えることが出来るので、１台の業務用車両を複数の使用者が交代で使用するときは便利である。
【００１９】
なお、本実施の形態において、通話開始スイッチ１２、通話終了スイッチ１３をコントローラ４に設けたが、これらのスイッチをコントローラ４から分離して、ヘッドレスト３１からぶら下ったペンダント型とし、使用者の体により近い位置に配置しても良い。
また、スピーカ・アーム２２を弾性部材で構成し、スピーカ・アーム２２またはスピーカ・ハウジング２３に体が当たっても、スピーカ・アーム２２が撓み、アクチュエータ５に無理な力が掛かって破損しないようにしても良い。
また、アクチュエータ５に水平の回転軸を設けて、その軸周りで高い抵抗感を持たせて手動で回動可能とし、個人の耳の高さ位置の差に対して微調整可能としても良い。
【００２０】
さらに、ステップ１０１において、位置記憶スイッチ１７がオンされたことを検出したとき、ＣＰＵ１１が、携帯電話機１に自動で天気予報番号または時報番号などに電話接続させて、ステップ１０４でスピーカ・アーム２２の角度を設定中、スピーカ２から音声が出ているようにし、角度設定がしやすいようにしても良い。なお、ステップ１０５で再度位置記憶スイッチ１７がオンされたことを検出したとき、電話接続を切る。
【００２１】
図５は実施の形態の変形例であるヘッドホン型の例を示す。ブロック構成は図１とほぼ同じであるが、使用者選択スイッチ１４、メモリ（２）１６、位置記憶スイッチ１７、位置記憶調整ノブ１８、位置センサ２９はない。
コントローラ４は、通話中の使用者ごとのスピーカ位置の設定はせず、単に通話時のスピーカ２の耳への密着、非通話時に耳から離す制御だけをアクチュエータ５に対して指令する。
【００２２】
本変形例では、スピーカ２はスピーカ・ハウジング２３ａに収容され、耳の周囲を覆うイヤピース２４ａに内蔵された図示省略のアクチュエータの駆動軸で開閉可能に連結している。通話時は（ａ）に示したような全閉の状態に、非通話時は（ｂ）に示したような全開の状態に、アクチュエータの駆動軸で回動される。左右のイヤピース２４ａ、２４ｂはバンド２５により接続されている。マイク３はイヤピース２４ｂからフレキシブルチューブ２１により口元に設定される。
片方だけにスピーカ２を設け、イヤピース２４ｂ側には設けない場合は、イヤピース２４ｂは、回転スライド式の開閉可能な窓穴を備えたイヤカバー２３ｂを有し、手動で窓穴を全閉、全開に出来るようにしても良い。これにより、通常窓穴を全開にしておくが、周囲の騒音が大きく電話の音声が聞こえにくいとき、窓穴を全閉にして、聞き易くすることができる。
【００２３】
本変形例でも、同様に通話時はスピーカ・ハウジング２３ａが耳に密接して電話の音声が聞き易く、非通話のときはスピーカ・ハウジング２３ａが全開になって外部の音が聞きやすい。また、通話時にスピーカ２の音がマイク３に拾われることが少ない。
【００２４】
なお、上述した実施の形態では、ハンズフリー装置による通話音声がスピーカより出力されるものとして説明したが、このスピーカから流れる音声出力として、ナビゲーション装置における交差点付近案内などの案内音声を出力しても良い。この場合には、案内音声が出力される際に、スピーカが操作者（運転者）の耳を塞ぐ位置へと移動し、案内音声が終了するとスピーカが耳を塞がない位置へと移動する。
【図面の簡単な説明】
【００２５】
【図１】本発明の実施の形態の構成を示すブロック図である。
【図２】本発明の実施の形態の車両の座席への実装状態を示す図である。
【図３】スピーカ・アームの角度を設定し記憶させる制御（アーム角度設定モード）のフローチャートである。
【図４】通話するときのスピーカ・アームの位置制御のフローチャートである。
【図５】本発明の変形例のヘッドホン型の場合の実装状態を示す図である。
【符号の説明】
【００２６】
１        携帯電話機
２        スピーカ
３        マイク
４        コントローラ
５        アクチュエータ
１１      ＣＰＵ
１２      通話開始スイッチ
１３      通話終了スイッチ
１４      使用者選択スイッチ
１５      メモリ（１）
１６      メモリ（２）
１７      位置記憶スイッチ
１８      位置調整ノブ
１９      ディスプレイ
２１      フレキシブルチューブ
２２      スピーカ・アーム
２３、２３ａ    スピーカ・ハウジング
２３ｂ    イヤカバー
２４ａ、２４ｂ      イヤピース
２５      バンド
２６      イヤカバー
２７      駆動軸
２９      位置センサ
３０      シート
３１      ヘッドレスト
３２      センターテーブル
【図１】
2005150954.tif 000003
【図２】
2005150954.tif 000004
【図３】
2005150954.tif 000005
【図４】
2005150954.tif 000006
【図５】
2005150954.tif 000007